(57)【要約】【課題】従来のものは、関節機構を介して連接した構成なので折り曲げ位置が限定されているのと、ロットを含めて形状を自由に変形することが出来ず、取付け位置等にかんしても制限事項が多い。【解決手段】上記課題は、長さ方向のあらゆる部分で湾曲折り曲げが自在なロット１の両端にこの両端を構造物に取付けるための取付け手段２ａ，２ｂを設けることで解決できる【選択図】図１
0003099399.tif 000002
【実用新案登録請求の範囲】
【請求項１】
長さ方向のあらゆる部分で湾曲折り曲げが自在なロット１の両端にこのロット１を構造物Ａに取付けるための取付け手段２ａ，２ｂをそれぞれ設けたことを特徴とするツインクランプハンガー。
【請求項２】
ロット１をフレキシブル（螺旋）パイプで構成したことを特徴とする請求項１記載のツインクランプハンガー。
【請求項３】
取付け手段２ａ，２ｂをハンドクランパーで構成したことを特徴とする請求項１または請求項２記載のツインクランプハンガー。
【考案の詳細な説明】
【考案の属する技術分野】
この考案は、物を吊るしたり掛けたりするハンガーに係り、更に詳述すれば湾曲折り曲げが自在なロットの両端に構造物への取付け手段を設けたツインクランプハンガーに関するものである。
【従来の技術】
【０００１】
物を掛けるハンガーとしては、それ自体曲げることが出来ないロットの両端に構造物への取付け手段として、吸盤やフックを取付けたものが、また物を吊るすカードホルダーとしては、一般に支持体の一端には置台が他方にクランプあるいはクリップを取り付けた構成の物が供用されている。
【０００２】
しかし、従来の物を掛けるハンガーは、ロットとこのハンガーを取付ける構造物との取付け間隔や、複数の取付け手段同士の間隔も予め取付け手段の構造やロットの長さで決まってしまっている。
複数の取付け手段同士の間隔を可変できるものとして、特許文献１に示すように、一対のフック間に、それ自体曲げることのできない複数本のロットを関節機構を介して連接して取付け、前記関節機構部分で折り曲げることで２個の取付け手段間の間隔を加減できるハンガーがある。
【０００３】
また、特許文献２に示すように、それぞれ一端にフックを取付けた２本のロットを、前記したフック取付け側とは反対側をこのロットの直径よりも内径が若干大径のパイプの両端からそれぞれパイプ内に挿入し、ロットおよびパイプの軸心方向に前記ロットの長さで限定される長さだけ伸縮し得るクオークロットがある。
また、直接２個のクリップまたはクランプを物を挟持する側が外側に向くように手持ち側で一体に結合したものや、両クリップまたはクランプの手持ち側間に関節機構を介在させて双方のクリップまたはクランプを一体に結合したものが「カードホルダー」として市販されている。
【特許文献１】特開２０００−２１０４９７号公報
【特許文献２】実用新案登録第３０７７１７２号公報
【考案が解決しようとする課題】
【０００４】
特許文献１に記載のハンガーは、複数本のロットを関節機構を介して連接した構成なので折り曲げ位置が限定されていることと、ロットを含めて任意な形状に変形させることが出来ない。
【０００５】
また、特許文献２に記載のクオークロットは、それを構成するパイプとロットの中心線方向のみにしか伸縮することが出来ない。
【０００６】
さらに、前記の「カードホルダー」は２個のクリップまたはクランプの手持ち側が直接または小さい関節機構を介して一体に結合されているので両クリップまたはクランプ間でクリップまたはクランプ同士の向きを変えることが出来なかったり、関節を介して変えられても両クリップまたはクランプ間の間隔が短いので取付け位置や用途等が制限されることが多い。
また、前者のハンガー機能と、後者のホルダー機能を兼ね備えた物を考案者は知らない。
【課題を解決するための手段】
【０００７】
この考案は、前記した特許文献１，２および「カードホルダー」における前記課題を、長さ方向のあらゆる部分で湾曲，折り曲げが自在なロットの両端にこの両端を構造物に取付けるための取付け手段を設けることで解決すると共に、ホルダーの機能を兼ね備えたハンガーを提供することを目的とするものである。
【考案の実施の形態】
【０００８】
この考案のツインクランプハンガーは、図１および図２に示すように、長さ方向のあらゆる部分で湾曲折り曲げが自在でかつ特別な外力が加わらない限り曲げた状態を維持可能なロット１の両端にこの両端を構造物に取付けるための取付け手段２ａ，２ｂを設けた構成である。
【０００９】
前記ロット１は、図１〜図３に示すように、ステンレスの細幅長尺板を螺旋状に巻き上げてパイプ状に加工する工程で周囲に蛇腹（ベローズまたはビード）を形成させた螺旋状パイプ本体１１とその一方の端には後述する取付け手段２ａを取付けるための螺桿１３ａを突設したジョイント１２ａを、他方の端にも後述する取付け手段２ａを取付けるための螺桿１３ｂを突設したジョイント１２ｂをそれぞれ取付けた構成である。
前記パイプ部分には模様等を施した可撓性のチューブ等を被せると金属色に比し趣が異なる。
前記パイプの直径は５ｍｍ〜１０ｍｍ程度の大きさが好ましい。
【００１０】
前記した構造物Ａ等に取付けるための取付け手段２ａ，２ｂは、一般的な挟持用のハンドクリッパーと同じような構造で、図１〜図３に示すように、板状部材の略中央部から張出し略中央部に軸孔２３ａ，２３ｂを明けた一対の軸受け部２２ａ，２２ｂをそれぞれ一側に直角に折り曲げた一対の挟持部材２１ａ，２１ｂと、軸２４、両端が角状に異なる方向に延出したキックスプリング２５、前記挟持部材の一端に嵌着するゴムあるいはプラスチック製の弾性部材２６とからなる。
【００１１】
挟持部材２１ａ，２１ｂの一対の軸受け部２２ａ，２２ｂの対向間隔を同一間隔にするかまたは一方の挟持部材２１ａの一対の軸受け部２２ａの対向間隔を他方の挟持部材２１ｂの一対の軸受け部２２ｂの対向間隔より前記部材の形成材板厚の２倍より若干幅広に構成する。
双方の挟持部材２１ａ，２１ｂを前記構成である軸受け部２２ａ，２２ｂを内外に重ねるかまたは後者の構成では軸受け部材２２ａが軸受け部材２２ｂの外側に位置するように重ね、その間にキックスプリング２５を角部分が挟持部材２１ａ，２１ｂの手持ち側に位置するように介在させて軸２４を軸孔２３ａからキックスプリング２５内を通して軸孔２３ｂに挿通して軸２４の軸受け部２２ａ，２２ｂから外側に食み出ている部分の端部をかしめ拡げて抜けないようにする。
【００１２】
挟持部材２１ａ，２１ｂのキックスプリング２５による弾発力で挟持部材２１ａ，２１ｂの閉じた部分すなわち挟持側の先端に構造物に傷を付けないようにするためと滑り止めのためのゴムまたはプラスチック製の弾性部材２６ａ，２６ｂを嵌着する。
【００１３】
前記取付け手段２ａ，２ｂを構成する一方の挟持部材２１ａの軸受け部２２ａ，２２ｂよりも若干手持ち側に寄った位置に明けた取付け孔２７ａ，２７ｂにロット１の両端に取付けたジョイント１２ａ，１２ｂの各螺桿１３ａ，１３ｂをそれぞれ挿入してこの各螺桿１３ａ，１３ｂにワッシャーを介してナット１４ａ，１４ｂを螺入して取付け固定する。
【００１４】
この考案のツインクランプハンガーは、以上のような構成であり、使用にあたっては、図４に示すように一方の前記取付け手段２ａで机等の構造物Ａを挟持して取付け位置を確保し、他方の前記取付け手段２ｂでカードまたは原稿Ｂの上縁を挟持してロット１を作業者が前記カードまたは原稿を見易いように逆Ｕ字状に曲げることで「カードホルダー」または「書類台」として使用できる。
また、図示してはいないが、双方の取付け手段２ａ，２ｂでロット１が水平な状態になるように構造物Ａの２箇所を挟持すればハンカチやタオルハンガーとして使用することができる。
さらに、ロット１を外側に湾曲させて双方の取付け手段２ａ，２ｂで構造物Ａの２箇所を挟持すれば、前記構造物Ａと湾曲したロット１との間でゴルフバック等自立性の悪いものの転倒防止用ハンガーとしての利用が可能である。
【考案の効果】
請求項１〜３に記載の長さ方向のあらゆる部分で湾曲折り曲げが自在なフレキシブル（螺旋）パイプからなるロットの両端にこのロットを構造物に取付けるためのハンドクランパーの如き取付け手段をそれぞれ設けたので、ロットの形状を自由に変形することあまり制限をうけない取付けがができ、加えてハンガーとホルダーの機能を兼ね備えたハンガーとして利用範囲が広い等の効果を有する。
【図面の簡単な説明】
【図１】この考案の実施例であるツインクランプハンガーの正面図
【図２】同じく側面図
【図３】同じく要部の拡大断面図
【図４】使用例を示す側面図
【符号の説明】
１　　　ロット
１１　　本体
１２ａ，１２ｂ　ジョイント
１３ａ，１３ｂ　　　螺桿
２取付け手段
２１ａ，２１ｂ　挟持部材
２２ａ、２２ｂ　軸受け部
２３ａ，２３ｂ　　軸孔
２４　軸
２５　キックスプリング
【図１】
0003099399.tif 000003
【図２】
0003099399.tif 000004
【図３】
0003099399.tif 000005
【図４】
0003099399.tif 000006